(57)【要約】【課題】ペーパーホルダーを使い勝手のよいように壁面に沿って移動自在、回動も可能とし、高齢者や身体の不自由な人達も無理な姿勢を取らずにトイレットペーパーを使用できるトイレルーム用の複合キャビネットを提供する。【解決手段】トイレルームに用いられる複合キャビネットＡであって、該複合キャビネットＡはトイレルームの壁面Ｗに固定される手洗いキャビネット１とペーパーホルダーキャビネット２とからなり、上記ペーパーホルダーキャビネット２は手洗いキャビネット１のカウンターの下方で該手洗いカウンター１２の長さ方向に沿って左右に移動自在とされたトイレルーム用複合キャビネット。【選択図】図１
2008284265.tif 000002
【特許請求の範囲】
【請求項１】
トイレルームに用いられる複合キャビネットであって、該複合キャビネットはトイレルームの壁面に固定される手洗いキャビネットとペーパーホルダーキャビネットとからなり、上記ペーパーホルダーキャビネットは手洗いキャビネットのカウンターの下方で該手洗いカウンターの長さ方向に沿って移動自在とされたトイレルーム用複合キャビネット。
【請求項２】
上記手洗いカウンターの裏面は木桟で裏打ちされるとともに、この木桟の下面には凹溝が延設され、この凹溝にペーパーホルダーキャビネットの天板に突設されたガイドが遊嵌合し、その底面板にはキャスターが転動自在に取り付けられた請求項１に記載のトイレルーム用複合キャビネット。
【請求項３】
上記ペーパーホルダーキャビネットを壁面から離して配設するとともに、上記ガイドを天板の略中央部に一つ設け、上記ガイドを軸としてペーパーホルダーキャビネットに回動させることも可能とされた請求項２に記載のトイレルーム用複合キャビネット。
【請求項４】
上記手洗いカウンターの裏面は木桟で裏打ちされるとともに、この木桟の下面にガイドレールが延設され、このガイドレールにペーパーホルダーキャビネットの天板に設けられたローラーが掛着され、このローラーを介してペーパーホルダーキャビネットがスライド自在に吊持される請求項１に記載のトイレルーム用複合キャビネット。
【請求項５】
上記ペーパーホルダーキャビネットの内部は予備のロールペーパーを収納する収納部とされた請求項１に記載のトイレルーム用複合キャビネット。
【発明の詳細な説明】
【技術分野】
【０００１】
本発明は、トイレルームに設置されるキャビネットに関する。さらに詳しくは、手洗いキャビネットとペーパーホルダーキャビネットとからなるトイレルーム用の複合キャビネットの構造に関する。
【背景技術】
【０００２】
近年、生活の高級化志向を考慮し、また高齢者が使いやすいようにグリップ等を備えたキャビネットをトイレルームに設置することが普及しつつある。例えば、下記特許文献１にはトイレルーム内で便器側へ突出する棚が設けられたキャビネットが提案され、この棚が上キャビネットと下キャビネットの仕切り板から構成されている場合や、この棚に手摺り、グリップを設け、さらには、ペーパーホルダーも設けることが可能なトイレのキャビネットが提案されている。
【０００３】
そして、上記キャビネットは壁面に固定されているため、手摺りやグリップを上記棚にしっかりと後付けすることができ、壁面に孔開け加工等をすることなく容易に後付け可能であり、また、ペーパーホルダーの取り付け角度を適宜変更し、便器の使用者の方向に向かせて棚に取り付ければロールペーパーを容易に引き出せるとの効果も記載されている。
【特許文献１】特開２０００−２０１８５９号公報（第２３〜２５頁、第１、第２図、第３図）
【発明の開示】
【発明が解決しようとする課題】
【０００４】
しかしながら、上記特許文献１に記載のトイレのキャビネットは、例えば、ペーパーホルダーの取り付け角度は調節自在であるが、適宜調節して一旦取り付けた後は、その角度の変更はできないため、他の使用者にとっては必ずしも適切な位置とはならない。したがって、高齢者や、身体の不自由な人達にとっては場合によっては使い勝手の悪いものとなる。
【０００５】
本発明はこのような問題を解決して、ペーパーホルダーを使い勝手のよいように壁面に沿って移動自在とし、回動も可能とすることにより、高齢者や身体の不自由な人達も無理な姿勢を取らずにトイレットペーパーを使用することのできるトイレルーム用の複合キャビネットを提供することを、その課題とする。
【課題を解決するための手段】
【０００６】
上記課題を解決するために、本発明においては、つぎのような技術的手段を講じている。すなわち、請求項１に記載の発明によれば、トイレルームに用いられる複合キャビネットであって、該複合キャビネットはトイレルームの壁面に固定される手洗いキャビネットとペーパーホルダーキャビネットとからなり、上記ペーパーホルダーキャビネットは手洗いキャビネットのカウンターの下方で該手洗いカウンターの長さ方向に沿って移動自在とされたトイレルーム用複合キャビネットが提供される。
【０００７】
請求項２に記載のトイレルーム用複合キャビネットは、請求項１に記載の発明に加えて、上記手洗いカウンターの裏面は木桟で裏打ちされるとともに、この木桟の下面には凹溝が延設され、この凹溝にペーパーホルダーキャビネットの天板に突設されたガイドが遊嵌合し、その底面板にはキャスターが転動自在に取り付けられる。
【０００８】
請求項３に記載のトイレルーム用複合キャビネットは、請求項２に記載の発明に加えて上記ペーパーホルダーキャビネットを壁面から離して配設するとともに、上記ガイドを天板の略中央部に一つ設け、上記ガイドを軸としてペーパーホルダーキャビネットを回動することも可能とされる。
【０００９】
請求項４に記載のトイレルーム用複合キャビネットは、請求項１に記載の発明に加えて、上記手洗いカウンターの裏面は木桟で裏打ちされるとともに、この木桟の下面にガイドレールが延設され、このガイドレールにペーパーホルダーキャビネットの天板に設けられたローラーが掛着され、このローラーを介してペーパーホルダーキャビネットがスライド自在に吊持される。
【００１０】
請求項５に記載のトイレルーム用複合キャビネットは、請求項１に記載の発明に加えて、上記ペーパーホルダーキャビネットの内部は予備のロールペーパーを収納する収納部とされる。
【発明の効果】
【００１１】
請求項１に記載の発明にかかるトイレルーム用複合キャビネットは上記のとおりであり、トイレルームの壁面に固定される手洗いキャビネットとペーパーホルダーキャビネットとからなり、上記ペーパーホルダーキャビネットは手洗いキャビネットの手洗いカウンターの下方でその長さ方向に沿って移動自在とされているため、こどもがトイレを使用する際、ペーパーホルダーキャビネットを、把手を介して手元に引き寄せ、使い勝手よくロールペーパーからトイレットペーパーを引き出して使用することができる。また、高齢者等、身体の不自由な人達がトイレを使用するときも、手を伸ばして無理な姿勢をとることなく、上記と同様に、使い勝手よくロールペーパーからトイレットペーパーを引き出して使用することができる。
【００１２】
請求項２に記載のトイレルーム用複合キャビネットは上記のとおりであり、請求項１のトイレルーム用複合キャビネットの有する効果に加え、上記手洗いカウンターの裏面を裏打ちする木桟の下面には凹溝が延設され、この凹溝にペーパーホルダーキャビネットの天板に突設されたガイドが遊嵌合し、その底面板にはキャスターが転動自在に取り付けられるため、小さな力で壁面に沿って容易に水平移動することができる。
【００１３】
請求項３に記載のトイレルーム用複合キャビネットは上記のとおりであり、請求項２のトイレルーム用複合キャビネットの有する効果に加え、上記ペーパーホルダーキャビネットを壁面から離して配設するとともに、上記ガイドを天板の略中央部に一つ設け、上記ガイドを軸としてペーパーホルダーキャビネットを回動することもできるため、水平移動のみならず、回動運動も加わって、ペーパーホルダーキャビネットを容易に使用者に近付け、さらに使い勝手よくトイレットペーパーを引き出して使用することができる。
【００１４】
請求項４に記載のトイレルーム用複合キャビネットは上記のとおりであり、請求項１のトイレルーム用複合キャビネットの有する効果に加え、上記手洗いカウンターの裏面を裏打ちする木桟の下面にガイドレールが延設され、このガイドレールにペーパーホルダーキャビネットの天板に設けられたローラーが掛着され、このローラーを介してペーパーホルダーキャビネットがスライド自在に吊持されるため、ペーパーホルダーキャビネットの下方は自由空間となり、トイレルームの床面を容易に清掃することができる。
【００１５】
請求項５に記載のトイレルーム用複合キャビネットは上記のとおりであり、請求項１のトイレルーム用複合キャビネットの有する効果に加え、ペーパーホルダーキャビネット内はロールペーパーを収納する収納部とされているため、トイレ空間を有効に利用して予備のロールペーパーをストックしておくことができる。
【発明を実施するための最良の形態】
【００１６】
以下、本発明の実施形態について図面を参照して詳細に説明する。図１は、トイレルームに設置された本発明の第１実施形態にかかる複合キャビネットＡを示す外観斜視図である。図２は、上記複合キャビネットＡを設置したトイレルームを示す部分断面平面図である。図１、図２に示されているように、複合キャビネットＡは、壁面Ｗに固定され手洗いボウル１１と手洗いカウンター１２とを備えた手洗いキャビネット１とペーパーホルダーキャビネット２とからなり、このペーパーホルダーキャビネット２は上記手洗いカウンター１２の下方に配設されている。
【００１７】
図１に示されているように、ペーパーホルダーキャビネット２は、その底面にキャスター５が付設されるとともに、正面には把手９が設けられ、手洗いカウンター１２の下方で床面Ｆの上を手洗いカウンター１２の長さ方向に沿って移動自在とされている。また、ペーパーホルダーキャビネット２はペーパーホルダー６を備え、このペーパーホルダー６はロールペーパー７を保持する。一方、上記トイレルーム内にはロータンクを備えた便器８が設置されている。
【００１８】
図３は、図１に示すＸ−Ｘ線に沿う断面図である。図３に示されているように、手洗いカウンター１２の裏面は木桟３で裏打ちされるとともに、この木桟３の下面には凹溝３１が延設され、この凹溝３１にペーパーホルダーキャビネット２の天板２１に突設されたガイド４が遊嵌合する。また、ペーパーホルダーキャビネット２の底面板２２にはキャスター５が転動自在に取り付けられ、上記凹溝３１に遊嵌合したガイド４に案内されて図１に矢印で示すように、手洗いカウンター１２の長さ方向に沿って左右に移動する。
【００１９】
上記は、手洗いカウンター１２の長さ方向に沿って左右に移動する場合について述べたが、ペーパーホルダーキャビネット２を壁面から離して配設し、ガイド４を上記天板２１の長さ方向略中央部に一つ設けることにより、上記左右水平移動に加えて回動させることもできる。このようにすることにより、ペーパーホルダー６に保持されたロールペーパー７をより使い勝手よく、使用者の手元へ近付け、トイレットペーパーを引き出して使用することができる。
【００２０】
図４は、本発明の第２実施形態にかかる複合キャビネットＢを示す側断面図である。図４に示すように、本実施形態においては、第１実施形態における凹溝３１に替えてガイドレール３１ａが延設されるとともに、このガイドレール３１ａの溝部にペーパーホルダーキャビネット２の天板２１に設けられたローラー４ａを掛着させる。本実施形態においては、ペーパーホルダーキャビネット２は、ローラー４ａを介してガイドレール３１ａにスライド自在に吊持されるため、第１実施形態におけるキャスター５は不要となる。そのため、ペーパーホルダーキャビネット２の下方は自由空間となり、トイレルームの床面の清掃が容易となる。
【００２１】
上記第１、第２実施形態において、例えば、こどもが便器８に座り、用を足した後、ロールペーパー７を引き出しやすいように把手９を手元に引き寄せれば、ペーパーホルダーキャビネット２はこどもの側に寄り、使い勝手よく、トイレットペーパーを使用することができる。高齢者等、身体の不自由な人達がトイレを使用するときも、把手９を手元に引き寄せることによって、手を伸ばして無理な姿勢をとることなく、使い勝手よくトイレペーパーを使用できる。
【００２２】
なお、上記実施形態においては、ガイド４やキャスター５等を使用し、あるいはガイドレール３１ａにローラー４ａ等を掛着した形態を示したが、単にキャスター５のみをペーパーホルダーキャビネット２の底面に付設し、手洗いカウンター１２の長さ方向にスライド自在、回動自在としてもよい。このように、本発明は種々設計変更自在であり、特許請求の範囲を逸脱しない限り、本発明の技術的範囲に属する。
【図面の簡単な説明】
【００２３】
【図１】本発明の第１実施形態にかかる複合キャビネットを示す外観斜視図である。
【図２】上記第１実施形態の複合キャビネットを設置したトイレルームを示す部分断面平面図である。
【図３】図１に示すＸ−Ｘ線に沿う断面図である。
【図４】本発明の第２実施形態にかかる複合キャビネットを示す側断面図である。
【符号の説明】
【００２４】
Ａ          本発明の第１実施形態にかかる複合キャビネット
Ｗ          壁面
Ｆ          床面
１          手洗いキャビネット
１１        手洗いボウル
１２        手洗いカウンター
２          ペーパーホルダーキャビネット
２１        天板
２２        底面板
３          木桟
３１        凹溝
４          ガイド
５          キャスター
６          ペーパーホルダー
７          ロールペーパー
８          便器
９          把手
Ｂ          本発明の第２実施形態にかかる複合キャビネット
３１ａ      第２実施形態におけるガイドレール
４ａ        第２実施形態におけるローラー
【図１】
2008284265.tif 000003
【図２】
2008284265.tif 000004
【図３】
2008284265.tif 000005
【図４】
2008284265.tif 000006